(57)【要約】【課題】従来よりも横幅の狭い透過型ディスプレイを提供する。【解決手段】透過型ディスプレイ１０は、透過型の基板１１と、基板１１上の表示領域１１ａに設けられた複数の画素１４を含む画素アレイ１５と、列配線１７と、行配線１９ａ及び１９ｂと、列配線１７を介して走査信号を供給する第１ドライバ１６と、行配線１９ａ及び１９ｂを介してデータを供給する第２ドライバ１８ａ及び１８ｂとを備え、第１ドライバ１６及び第２ドライバ１８ａは、第１領域１２ａに配置され、第２ドライバ１８ｂは、第２領域１２ｂに配置されている。【選択図】図２
2019020581.tif 000002
【特許請求の範囲】
【請求項１】
透過型の基板と、
前記基板上の矩形の表示領域に設けられ、行列状に配置された複数の画素を含む画素アレイと、
前記複数の画素における各列に対応して設けられた複数の列配線と、
前記複数の画素における各行に対応して設けられた複数の行配線と、
前記表示領域よりも周縁に位置する周縁領域に設けられ、前記複数の画素のうちの各列の画素に対して前記複数の列配線を介してデータ及び走査信号の一方を供給する第１ドライバと、
前記周縁領域に設けられ、前記複数の画素のうちの各行の画素に対して前記行配線を介してデータ及び走査信号の他方を供給する複数の第２ドライバとを備え、
前記表示領域は、前記複数の画素における列に平行に延びる２つの縦辺と、前記複数の画素における行に平行に延びる２つの横辺とで囲まれ、
前記第１ドライバは、前記周縁領域のうち、前記２つの横辺のうちの一方よりも周縁側の第１領域に配置され、
前記複数の第２ドライバの一つは、前記第１領域に配置され、
前記複数の第２ドライバの他の一つは、前記周縁領域のうち、前記２つの横辺のうちの他方よりも周縁側の第２領域に配置されている
透過型ディスプレイ。
【請求項２】
前記一つの第２ドライバは、前記第１ドライバと、行方向に隣接して配置され、
前記他の一つの第２ドライバは、前記第２領域のうち、前記第１領域に配置された前記一つの第２ドライバと対向する位置に配置されている
請求項１記載の透過型ディスプレイ。
【請求項３】
前記一つの第２ドライバは、前記第１ドライバと、列方向に隣接して配置され、
前記他の一つの第２ドライバは、前記第２領域のうち、前記第１領域に配置された前記一つの第２ドライバと対向する位置に配置されている
請求項１記載の透過型ディスプレイ。
【請求項４】
前記複数の行配線は、前記２つの横辺のうちの一方から前記表示領域内に延びる第１行配線及び前記２つの横辺のうちの他方から前記表示領域内に延びる第２行配線を含み、
前記一つの第２ドライバ及び前記他の一つの第２ドライバは、それぞれ、前記第１行配線及び前記第２行配線を介して、前記データ及び前記走査信号の他方を供給する
請求項３記載の透過型ディスプレイ。
【請求項５】
さらに、前記一つの第２ドライバと前記他の一つの第２ドライバとを接続する接続配線を備え、
前記接続配線は、基板の辺を覆うベゼルで覆われた空間を通っている
請求項１〜４のいずれか１項に記載の透過型ディスプレイ。
【請求項６】
前記列配線及び前記行配線の少なくとも一つは、前記基板の表面上に形成された配線、及び、前記基板の裏面上に形成された配線を含む
請求項１〜５のいずれか１項に記載の透過型ディスプレイ。
【発明の詳細な説明】
【技術分野】
【０００１】
本開示は、携帯情報端末等に用いられる透過型ディスプレイに関する。
【背景技術】
【０００２】
特許文献１は、コントローラを内蔵するドレインドライバ、及び、ゲートドライバが実装された表示基板と、電源が実装されたフレキシブル基板とを備える表示装置を開示する。この表示装置では、コントローラから出力されるゲートドライバ及び電源の制御に共通に用いられる共通制御信号の配線を表示基板上に形成してゲートドライバに入力させている。これにより、表示基板とフレキシブル基板とを接続するパッド数を少なくし、全体としての表示装置の小型化を可能にしている。
【先行技術文献】
【特許文献】
【０００３】
【特許文献１】特開２００３−１０８０２１号公報
【発明の概要】
【発明が解決しようとする課題】
【０００４】
本開示は、従来よりも横幅の狭い透過型ディスプレイを提供する。
【課題を解決するための手段】
【０００５】
本開示における透過型ディスプレイは、透過型の基板と、前記基板上の矩形の表示領域に設けられ、行列状に配置された複数の画素を含む画素アレイと、前記複数の画素における各列に対応して設けられた複数の列配線と、前記複数の画素における各行に対応して設けられた複数の行配線と、前記表示領域よりも周縁に位置する周縁領域に設けられ、前記複数の画素のうちの各列の画素に対して前記複数の列配線を介してデータ及び走査信号の一方を供給する第１ドライバと、前記周縁領域に設けられ、前記複数の画素のうちの各行の画素に対して前記行配線を介してデータ及び走査信号の他方を供給する複数の第２ドライバとを備え、前記表示領域は、前記複数の画素における列に平行に延びる２つの縦辺と、前記複数の画素における行に平行に延びる２つの横辺とで囲まれ、前記第１ドライバは、前記周縁領域のうち、前記２つの横辺のうちの一方よりも周縁側の第１領域に配置され、前記複数の第２ドライバの一つは、前記第１領域に配置され、前記複数の第２ドライバの他の一つは、前記周縁領域のうち、前記２つの横辺のうちの他方よりも周縁側の第２領域に配置されている。
【発明の効果】
【０００６】
本開示における透過型ディスプレイは、従来よりも横幅が狭い。
【図面の簡単な説明】
【０００７】
【図１】参考例に係るディスプレイの構成を示すレイアウト図
【図２】実施の形態１に係る透過型ディスプレイの構成を示すレイアウト図
【図３】図２のＩＩＩ−ＩＩＩ線での透過型ディスプレイの模式断面図
【図４】図２に示される基板に形成する配線として両面配線を採用した場合の配線例を示す模式図
【図５】実施の形態１に係る透過型ディスプレイの適用例を示す図
【図６】実施の形態２に係る透過型ディスプレイの構成を示すレイアウト図
【発明を実施するための形態】
【０００８】
本明細書において、「上」、「下」、「左」、「右」とは、図面を見た場合の上、下、左、右である。また、上下方向を「縦」、左右方向を「横」ともいう。また、画素アレイについては、画素が左右方向に並んだものを一つの「行」と呼ぶ。よって、「行方向」とは、左右方向である。一方、画素が上下方向に並んだものを一つの「列」と呼ぶ。よって、「列方向」とは、上下方向である。
【０００９】
（本開示の基礎となった知見）
まず、実施の形態に係る透過型ディスプレイを説明する前に、参考例に係るディスプレイを用いて、本開示の基礎となった知見を説明する。
【００１０】
図１は、参考例に係るディスプレイ１１０の構成を示すレイアウト図である。
【００１１】
このディスプレイ１１０では、基板１１１の表示領域１１１ａに、複数の画素１１４を含む画素アレイ１１５が形成されている。また、表示領域１１１ａの下方に位置する周縁領域１１２ａには、第１データドライバ１１８ａ、ゲートドライバ１１６及び第２データドライバ１１８ｂが、この順で、左右方向に並んで配置されている。
【００１２】
第１データドライバ１１８ａは、表示領域１１１ａの左側を通って画素アレイ１１５の上半分における画素１１４の各行に至る行配線を介して、画素アレイ１１５の上半分の画素１１４に対してデータを供給する。
【００１３】
ゲートドライバ１１６は、表示領域１１１ａの左右方向における中央領域を通って画素アレイ１１５における画素１１４の各列に至る列配線を介して、画素アレイ１１５の全ての画素１１４に対して走査信号を供給する。
【００１４】
第２データドライバ１１８ｂは、表示領域１１１ａの右側を通って画素アレイ１１５の下半分における画素１１４の各行に至る行配線を介して、画素アレイ１１５の下半分の画素に対してデータを供給する。
【００１５】
このような３つのドライバ（第１データドライバ１１８ａ、ゲートドライバ１１６及び第２データドライバ１１８ｂ）からデータ及び走査信号が供給されることで、画素アレイ１１５の画素１１４が発光し、映像が表示される。
【００１６】
ところが、このような構成を備える参考例に係るディスプレイ１１０では、表示領域１１１ａの下方に位置する周縁領域１１２ａに、３つのドライバ（第１データドライバ１１８ａ、ゲートドライバ１１６及び第２データドライバ１１８ｂ）が左右方向に並べて配置される必要があるために、ディスプレイ１１０の横幅を狭めて小型化を図ることが困難である。
【００１７】
そこで、本発明者らは、ディスプレイ１１０の小型化に関し、例えば、以下の構成が有利であることを見出した。つまり、表示領域１１１ａの下方に位置する周縁領域１１２ａに、３つのドライバ（第１データドライバ１１８ａ、ゲートドライバ１１６及び第２データドライバ１１８ｂ）を左右方向に並べるのではなく、左右方向には、最大で２つのドライバ（例えば、第１データドライバ及びゲートドライバ）だけを配置する。そして、残るドライバ（例えば、第２データドライバ）を、他のドライバ（例えば、第１データドライバ及びゲートドライバ）と上下方向に並ぶ位置、つまり、表示領域１１１ａの上方に位置する周縁領域に配置することとした。
【００１８】
これにより、表示領域１１１ａの上下に位置する周縁領域には、左右方向に、最大で２つのドライバだけが配置されるので、ディスプレイ１１０の横幅を狭めて小型化を図ることが可能になる。
【００１９】
以下、実施の形態に係る透過型ディスプレイの詳細を説明する。
【００２０】
（実施の形態）
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２１】
なお、発明者らは、当業者が本開示を十分に理解するために添付図面および以下の説明を提供するのであって、これらによって特許請求の範囲に記載の主題を限定することを意図するものではない。
【００２２】
（実施の形態１）
以下、図２〜５を用いて、実施の形態１を説明する。
【００２３】
［１−１．構成］
図２は、実施の形態１に係る透過型ディスプレイ１０の構成を示すレイアウト図である。
【００２４】
透過型ディスプレイ１０は、基板１１と、基板１１上の矩形の表示領域１１ａに設けられ行列状に配置された複数の画素１４を含む画素アレイ１５と、複数の画素１４における各列に対応して設けられた複数の列配線１７と、複数の画素１４における各行に対応して設けられた複数の行配線１９ａ及び１９ｂと、第１ドライバ１６と、複数（ここでは、２つ）の第２ドライバ１８ａ及び１８ｂと、本体回路部１３とを備える。
【００２５】
基板１１は、可視光領域で透過型の基板であり、例えば、透明ガラスである。
【００２６】
基板１１上の表示領域１１ａは、複数の画素１４における列に平行に延びる２つの縦辺と、複数の画素１４における行に平行に延びる２つの横辺とで囲まれた領域である。
【００２７】
画素１４は、発光素子を含む画素回路であり、例えば、発光層としての無機ＥＬ（Ｅｌｅｃｔｒｏｌｕｍｉｎｅｓｃｅｎｃｅ）及び透明電極としてのＩＴＯ等で構成される発光素子を含む画素回路である。
【００２８】
複数の列配線１７のそれぞれは、画素アレイ１５における各列の画素１４と第１ドライバ１６とを接続する配線パターンである。複数の行配線１９ａのそれぞれは、画素アレイ１５の下半分における各行の画素１４と第２ドライバ１８ａとを接続する配線パターンである。複数の行配線１９ｂのそれぞれは、画素アレイ１５の上半分における各行の画素１４と第２ドライバ１８ｂとを接続する配線パターンである。複数の列配線１７、複数の行配線１９ａ及び１９ｂは、例えば、ＩＴＯ等の透明電極の配線パターンで構成される。
【００２９】
第１ドライバ１６は、表示領域１１ａよりも周縁に位置する周縁領域（ここでは、表示領域１１ａよりも下方に位置する第１領域１２ａ）に設けられ、複数の画素１４のうちの各列の画素１４に対して複数の列配線１７を介してデータ及び走査信号の一方を供給するＩＣであり、例えば、列配線１７を介して走査信号を供給するゲートドライバである。なお、第１領域１２ａは、基板１１における一部の領域であってもよいし、基板１１と接続されたフレキシブル基板等の別の回路基板における一部の領域であってもよい。
【００３０】
複数の第２ドライバの一つである第２ドライバ１８ａは、周縁領域（ここでは、第１領域１２ａ）に設けられ、複数の画素１４のうちの各行の画素１４に対して行配線１９ａを介してデータ及び走査信号の他方を供給するＩＣであり、例えば、画素アレイ１５の下半分の画素にデータを供給するデータドライバである。
【００３１】
複数の第２ドライバの他の一つである第２ドライバ１８ｂは、表示領域１１ａよりも周縁に位置する周縁領域（ここでは、表示領域１１ａよりも上方に位置する第２領域１２ｂ）に設けられ、複数の画素１４のうちの各行の画素１４に対して行配線１９ｂを介してデータ及び走査信号の他方を供給するＩＣであり、例えば、画素アレイ１５の上半分の画素にデータを供給するデータドライバである。なお、第２領域１２ｂは、基板１１における一部の領域であってもよいし、基板１１と接続されたフレキシブル基板等の別の回路基板における一部の領域であってもよい。
【００３２】
なお、第２ドライバ１８ａと第２ドライバ１８ｂとは、接続配線２１によって接続されている。接続配線２１は、データ又は走査信号を伝送する配線であり、例えば、第２ドライバ１８ｂが出力すべきデータを第２ドライバ１８ａから第２ドライバ１８ｂに伝送する配線である。接続配線２１は、第１領域１２ａと第２領域１２ｂとを電気的に接続する配線でもある。
【００３３】
本体回路部１３は、第１ドライバ１６と第２ドライバ１８ａ及び１８ｂとを制御するコントローラ、電源回路、プロセッサ、各入出力回路等を含む回路部であり、例えば、基板１１と接続されたフレキシブル基板等の別の回路基板上に実装される。なお、本体回路部１３は、透過型ディスプレイ１０に必須の構成要素ではない。本体回路部１３は、透過型ディスプレイ１０とは別個に製造された後に、基板１１に接続されてもよい。
【００３４】
以上のように、本実施の形態に係る透過型ディスプレイ１０では、第１ドライバ１６及び第２ドライバ１８ａは、周縁領域のうち、表示領域１１ａの２つの横辺のうちの一方（ここでは、下辺）よりも周縁側（ここでは、下方）の第１領域１２ａに配置され、一方、第２ドライバ１８ｂは、周縁領域のうち、表示領域１１ａの２つの横辺のうちの他方（ここでは、上辺）よりも周縁側（ここでは、上方）の第２領域１２ｂに配置されている。
【００３５】
これにより、第２ドライバ１８ｂは、周縁領域のうち、第１ドライバ１６及び第２ドライバ１８ａが配置される第１領域１２ａとは異なる第２領域１２ｂに配置される。よって、周縁領域の第１領域１２ａには、従来のように３つのドライバが配置されるのではなく、２つのドライバ（第１ドライバ１６及び第２ドライバ１８ａ）だけが配置されるので、透過型ディスプレイ１０の横幅が狭められる。
【００３６】
また、第２ドライバ１８ａは、第１ドライバ１６と、行方向に隣接して配置されている。そして、第２ドライバ１８ｂは、第２領域１２ｂのうち、第１領域１２ａに配置された第２ドライバ１８ａと対向する位置（ここでは、右側の領域）に配置されている。
【００３７】
これにより、第２ドライバ１８ｂは、第２領域１２ｂのうち、第１領域１２ａに配置された第２ドライバ１８ａと対向する位置に配置されるので、２つの第２ドライバ１８ａ及び１８ｂから出て画素アレイ１５に至る配線は、いずれも、表示領域１１ａの右側だけ、又は、左側だけ（ここでは、右側だけ）を通る。よって、２つの第２ドライバ１８ａ及び１８ｂから出る配線が表示領域１１ａの同じ側を走ることとなり、透過型ディスプレイ１０の横幅が狭められる。
【００３８】
［１−２．接続配線の詳細］
図３は、図２に示される接続配線２１の詳細を説明する断面図である。ここでは、図２に示される透過型ディスプレイ１０にベゼル２０を装着した場合において、図２のＩＩＩ−ＩＩＩ線を通る面で透過型ディスプレイ１０を切断したときの模式断面図が示されている。なお、この模式断面図では、基板１１上に形成された列配線１７及び行配線１９ａの図示は省略され、基板１１、ベゼル２０、接続配線２１だけが図示されている。
【００３９】
図３に示されるように、本実施の形態に係る透過型ディスプレイ１０では、平面視で上下２つの領域に分かれて配置された２つの第２ドライバ１８ａ及び１８ｂを接続する接続配線２１は、基板１１の辺を覆うベゼル２０で覆われた空間を通っている。より詳しくは、２本の接続配線２１は、それぞれ、基板１１の表面の右端及び左端に形成された配線パターンであって、ベゼル２０で覆われた空間を通る。なお、基板１１の表面とは、基板１１の、画素アレイ１５が形成されている面をいう。
【００４０】
これにより、平面視で上下２つの領域に分かれて配置された２つの第２ドライバ１８ａ及び１８ｂを接続する接続配線２１は、ベゼル２０で覆われた空間を通るので、基板１１の平面視において、接続配線２１が通る領域とベゼル２０で覆われる領域とをオーバーラップさせることができる。よって、接続配線２１が通る領域とベゼル２０で覆われる領域とが別個に設けられるディスプレイに比べ、透過型ディスプレイ１０の横幅が狭められ、かつ、挟額化が可能になる。
【００４１】
なお、本実施の形態に係る透過型ディスプレイ１０では、２つの第２ドライバ１８ａ及び１８ｂは、２本の接続配線２１で接続されたが、１本又は３本以上の接続配線２１で接続されてもよい。また、２本の接続配線２１は、いずれも、基板１１の表面に形成された配線であったが、少なくとも１本が基板１１の裏面に形成された配線であってもよい。
【００４２】
［１−３．両面配線の詳細］
図４は、図２に示される基板１１に形成する配線として両面配線を採用した場合の配線例を示す模式図である。なお、本図では、透過型の基板１１の両面（表面及び裏面）が図示され、かつ、詳細な回路部品（配線、ドライバ等）の図示が簡素化又は省略されている。図４の（ａ）は、基板１１に施された両面配線の例を示す図である。図４の（ｂ）は、図４の（ａ）に示される切断線ＩＶＢ−ＩＶＢ線を通る面で基板を切断した場合の基板１１の断面図である。
【００４３】
図４の（ａ）に示される例では、図２における列配線１７が、基板１１の表面上に形成された配線２２ａ、及び、基板１１の裏面上に形成された配線２２ｂを含んでいる。そして、基板１１の表面上に形成された配線２２ａと基板１１の裏面上に形成された配線２２ｂとは、基板１１の平面視において、立体交差している。これにより、第１ドライバ１６から画素アレイ１５までの距離が短縮化され、その結果、配線が占める平面的な領域の面積が小さくなり、透過型ディスプレイ１０の小型化が可能になる。
【００４４】
なお、図４に示される例では、列配線１７に両面配線が用いられたが、これに代えて、あるいは、これに加えて、行配線１９ａ及び１９ｂに両面配線が用いられてもよい。これにより、第２ドライバ１８ａ及び１８ｂから画素アレイ１５までの距離が短縮化され、その結果、配線が占める平面的な領域の面積が小さくなり、透過型ディスプレイ１０の小型化が可能になる。
【００４５】
［１−４．透過型ディスプレイの適用例］
図５は、本実施の形態に係る透過型ディスプレイ１０の適用例を示す図である。ここでは、透過型ディスプレイ１０がスマートフォン等の携帯情報端末２７の表示装置として用いられる例が示されている。
【００４６】
図５に示される携帯情報端末２７は、図２に示される透過型ディスプレイ１０と、透過型ディスプレイ１０の辺を覆うベゼル２０と、透過型ディスプレイ１０の回路部分を覆う筐体２５とで構成される。
【００４７】
このような携帯情報端末２７は、挟額化され、かつ、小型化された透過型ディスプレイ１０を有し、しかも、透過型ディスプレイ１０によって、透過された実物と透過型ディスプレイ１０に表示した画像とを重畳表示させることもできる。
【００４８】
［１−５．効果］
以上のように、本実施の形態に係る透過型ディスプレイ１０は、透過型の基板１１と、基板１１上の矩形の表示領域１１ａに設けられ行列状に配置された複数の画素１４を含む画素アレイ１５と、複数の画素１４における各列に対応して設けられた複数の列配線１７と、複数の画素１４における各行に対応して設けられた複数の行配線１９ａ及び１９ｂと、表示領域１１ａよりも周縁に位置する周縁領域に設けられ、複数の画素１４のうちの各列の画素１４に対して複数の列配線１７を介してデータ及び走査信号の一方を供給する第１ドライバ１６と、周縁領域に設けられ、複数の画素１４のうちの各行の画素１４に対して行配線１９ａ及び１９ｂを介してデータ及び走査信号の他方を供給する複数の第２ドライバ１８ａ及び１８ｂとを備える。そして、表示領域１１ａは、複数の画素１４における列に平行に延びる２つの縦辺と、複数の画素１４における行に平行に延びる２つの横辺とで囲まれ、第１ドライバ１６は、周縁領域のうち、２つの横辺のうちの一方よりも周縁側の第１領域１２ａに配置され、複数の第２ドライバの一つ（第２ドライバ１８ａ）は、第１領域１２ａに配置され、複数の第２ドライバの他の一つ（第２ドライバ１８ｂ）は、周縁領域のうち、２つの横辺のうちの他方よりも周縁側の第２領域１２ｂに配置されている。
【００４９】
これにより、第２ドライバ１８ｂは、周縁領域のうち、第１ドライバ１６及び第２ドライバ１８ａが配置される第１領域１２ａとは異なる第２領域１２ｂに配置される。よって、周縁領域の第１領域１２ａには、従来のように３つのドライバが配置されるのではなく、２つのドライバ（第１ドライバ１６及び第２ドライバ１８ａ）だけが配置されるので、透過型ディスプレイ１０の横幅が狭められる。
【００５０】
また、第２ドライバ１８ａは、第１ドライバ１６と、行方向に隣接して配置され、第２ドライバ１８ｂは、第２領域１２ｂのうち、第１領域１２ａに配置された第２ドライバ１８ａと対向する位置に配置されている。
【００５１】
これにより、第２ドライバ１８ｂは、第２領域１２ｂのうち、第１領域１２ａに配置された第２ドライバ１８ａと対向する位置に配置されるので、２つの第２ドライバ１８ａ及び１８ｂから出て画素アレイ１５に至る配線は、いずれも、表示領域１１ａの右側だけ、又は、左側だけを通る。よって、２つの第２ドライバ１８ａ及び１８ｂから出る配線が表示領域１１ａの同じ側を走ることとなり、透過型ディスプレイ１０の横幅が狭められる。
【００５２】
また、透過型ディスプレイ１０は、第２ドライバ１８ａと第２ドライバ１８ｂとを接続する接続配線２１を備え、接続配線２１は、基板１１の辺を覆うベゼル２０で覆われた空間を通っている。
【００５３】
これにより、上下２つの領域に分かれて配置された２つの第２ドライバ１８ａ及び１８ｂを接続する接続配線２１は、ベゼル２０で覆われた空間を通るので、基板１１の平面視において、接続配線２１が通る領域とベゼル２０で覆われる領域とをオーバーラップさせることができる。よって、接続配線２１が通る領域とベゼル２０で覆われる領域とが別個に設けられるディスプレイに比べ、透過型ディスプレイ１０の横幅が狭められ、かつ、挟額化が可能になる。
【００５４】
また、列配線１７、行配線１９ａ及び１９ｂの少なくとも一つには、基板１１の表面上に形成された配線２２ａ、及び、基板１１の裏面上に形成された配線２２ｂを含む。
【００５５】
これにより、第１ドライバ１６から出る配線、又は、第２ドライバ１８ａ及び１８ｂから出る配線には、基板１１の表面に形成された配線２２ａだけでなく、基板１１の裏面に形成された配線２２ｂも含まれるので、基板１１の表面の配線２２ａと基板１１の裏面の配線２２ｂとで立体交差させることができる。よって、配線が占める平面的な領域の面積を小さくでき、透過型ディスプレイ１０の小型化が可能になる。
【００５６】
（実施の形態２）
以下、図６を用いて、実施の形態２を説明する。
【００５７】
［２−１．構成］
図６は、実施の形態２に係る透過型ディスプレイ３０の構成を示すレイアウト図である。本実施の形態に係る透過型ディスプレイ３０は、基本的には、実施の形態１に係る透過型ディスプレイ１０と同じ構成要素を備える。ただし、３つのドライバの配置位置、及び、それに伴う列配線及び行配線の位置が異なる。以下、実施の形態１と同じ構成要素には同じ符号を付して説明を省略し、実施の形態１と異なる点を中心に説明する。
【００５８】
本実施の形態では、第２ドライバ１８ａは、第１ドライバ１６と列方向に隣接して配置される。図６に示されるように、本実施の形態では、第１ドライバ１６及び第２ドライバ１８ａは、いずれも第１領域１２ａの左右方向における中央に位置し、かつ、第１ドライバ１６の下方に第２ドライバ１８ａが位置するように、列方向に並んで配置している。
【００５９】
また、第２ドライバ１８ｂは、第２領域１２ｂのうち、第１領域１２ａに配置された第２ドライバ１８ａと対向する位置に配置されている。本実施の形態では、第２ドライバ１８ｂは、第２領域１２ｂの左右方向における中央に位置し、その結果、第１領域１２ａに配置された第１ドライバ１６及び第２ドライバ１８ａと対向する位置に（列方向に並ぶように）配置している。
【００６０】
このように、第１ドライバ１６と２つの第２ドライバ１８ａ及び１８ｂとは、列方向に並べて配置されるので、第１ドライバ１６と２つの第２ドライバ１８ａとが左右方向に並ぶ実施の形態１よりも、さらに、透過型ディスプレイ３０の横幅を狭めることができる。
【００６１】
本実施の形態では、２つの第２ドライバ１８ａ及び１８ｂが、透過型ディスプレイ３０の左右方向における中央に位置するので、それら２つの第２ドライバ１８ａ及び１８ｂと接続される行配線の位置は、次の通りとなる。
【００６２】
つまり、第１領域１２ａに配置された第２ドライバ１８ａに接続される行配線は、表示領域１１ａの２つの横辺のうちの一方（ここでは、左辺）から表示領域１１ａ内に延びる第１行配線１９ａ１、及び、表示領域１１ａの２つの横辺のうちの他方（ここでは、右辺）から表示領域１１ａ内に延びる第２行配線１９ａ２を含む。そして、第２ドライバ１８ａは、第１行配線１９ａ１及び第２行配線１９ａ２を介して、データ及び走査信号の他方（ここでは、データ）を供給する。
【００６３】
同様に、第２領域１２ｂに配置された第２ドライバ１８ｂに接続される行配線についても、表示領域１１ａの２つの横辺のうちの一方（ここでは、左辺）から表示領域１１ａ内に延びる第１行配線１９ｂ１、及び、表示領域１１ａの２つの横辺のうちの他方（ここでは、右辺）から表示領域１１ａ内に延びる第２行配線１９ｂ２を含む。そして、第２ドライバ１８ｂは、第１行配線１９ｂ１及び第２行配線１９ｂ２を介して、データ及び走査信号の他方（ここでは、データ）を供給する。
【００６４】
これにより、２つの第２ドライバ１８ａ及び１８ｂのそれぞれから出た配線は、表示領域１１ａの右側及び左側を走る配線に分かれる。よって、２つの第２ドライバ１８ａ及び１８ｂのそれぞれから出た配線が表示領域１１ａの片側だけを走る実施の形態１に比べ、画素アレイ１５が表示領域１１ａの左右方向における中央に位置し易くなる。
【００６５】
［２−２．効果等］
以上のように、本実施の形態に係る透過型ディスプレイ３０では、第２ドライバ１８ａは、第１ドライバ１６と列方向に隣接して配置される。そして、第２ドライバ１８ｂは、第２領域１２ｂのうち、第１領域１２ａに配置された第２ドライバ１８ａと対向する位置に配置されている。
【００６６】
これにより、第１ドライバ１６と２つの第２ドライバ１８ａ及び１８ｂとは、列方向に並べて配置されるので、第１ドライバ１６と２つの第２ドライバ１８ａとが左右方向に並ぶ実施の形態１よりも、さらに、透過型ディスプレイ３０の横幅を狭めることができる。
【００６７】
また、第２ドライバ１８ａに接続される行配線は、表示領域１１ａの２つの横辺のうちの一方から表示領域１１ａ内に延びる第１行配線１９ａ１、及び、表示領域１１ａの２つの横辺のうちの他方から表示領域１１ａ内に延びる第２行配線１９ａ２を含む。そして、第２ドライバ１８ａは、第１行配線１９ａ１及び第２行配線１９ａ２を介して、データ及び走査信号の他方を供給する。同様に、第２ドライバ１８ｂに接続される行配線についても、表示領域１１ａの２つの横辺のうちの一方から表示領域１１ａ内に延びる第１行配線１９ｂ１、及び、表示領域１１ａの２つの横辺のうちの他方から表示領域１１ａ内に延びる第２行配線１９ｂ２を含む。そして、第２ドライバ１８ｂは、第１行配線１９ｂ１及び第２行配線１９ｂ２を介して、データ及び走査信号の他方を供給する。
【００６８】
これにより、２つの第２ドライバ１８ａ及び１８ｂのそれぞれから出た配線は、表示領域１１ａの右側及び左側を走る配線に分かれる。よって、２つの第２ドライバ１８ａ及び１８ｂのそれぞれから出た配線が表示領域１１ａの片側だけを走る実施の形態１に比べ、画素アレイ１５が表示領域１１ａの左右方向における中央に位置し易くなる。
【００６９】
（他の実施の形態）
以上のように、本出願において開示する技術の例示として、実施の形態１〜２を説明した。しかしながら、本開示における技術は、これに限定されず、適宜、変更、置き換え、付加、省略等を行った実施の形態にも適用可能である。また、上記実施の形態１〜２で説明した各構成要素を組み合わせて、新たな実施の形態とすることも可能である。
【００７０】
そこで、以下、他の実施の形態をまとめて説明する。
【００７１】
例えば、上記実施の形態では、画素１４を構成する発光素子は、無機ＥＬであったが、これに限られず、有機ＥＬ等の他の透過型ディスプレイを構成できる発光素子であってもよい。
【００７２】
また、上記実施の形態では、透過型ディスプレイでは、基板と本体回路部１３とは、上下方向に並んで配置されたが、左右方向に並んで配置されてもよい。
【００７３】
また、上記実施の形態では、第１ドライバ１６がゲートドライバであり、２つの第２ドライバ１８ａ及び１８ｂがデータドライバであったが、これに限られず、第１ドライバ１６がデータドライバであり、２つの第２ドライバ１８ａ及び１８ｂがゲートドライバであってもよい。
【００７４】
さらに、上記実施の形態では、列配線に接続される第１ドライバが１個であり、行配線に接続される第２ドライバが２個であったが、このような個数に限られず、例えば、列配線に接続される第１ドライバが２個以上であり、行配線に接続される第２ドライバが１個又は３個以上であってもよい。
【００７５】
以上のように、本開示における技術の例示として、実施の形態を説明した。そのために、添付図面および詳細な説明を提供した。
【００７６】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００７７】
また、上述の実施の形態は、本開示における技術を例示するためのものであるから、特許請求の範囲またはその均等の範囲において種々の変更、置き換え、付加、省略等を行うことができる。
【産業上の利用可能性】
【００７８】
本開示は、従来よりも横幅の狭い透過型ディスプレイに適用可能である。具体的には、スマートフォン、タブレット端末等の携帯情報機器の表示装置として、本開示は適用可能である。
【符号の説明】
【００７９】
１０、３０  透過型ディスプレイ
１１  基板
１１ａ  表示領域
１２ａ  第１領域（周縁領域）
１２ｂ  第２領域（周縁領域）
１３  本体回路部
１４  画素
１５  画素アレイ
１６  第１ドライバ
１７  列配線
１８ａ、１８ｂ  第２ドライバ
１９ａ、１９ｂ  行配線
１９ａ１、１９ｂ１  第１行配線
１９ａ２、１９ｂ２  第２行配線
２０  ベゼル
２１  接続配線
２２ａ、２２ｂ  配線
２５  筐体
２７  携帯情報端末
【図１】
2019020581.tif 000003
【図２】
2019020581.tif 000004
【図３】
2019020581.tif 000005
【図４】
2019020581.tif 000006
【図５】
2019020581.tif 000007
【図６】
2019020581.tif 000008